(57)【特許請求の範囲】
【請求項１】
正逆回転可能なモータを駆動源として往復移動可能な電動式移動棚において、
側板に設けられ右に向かって押すことができる右行き操作スイッチと、
側板に設けられ左に向かって押すことができる左行き操作スイッチと、
右行き操作スイッチまたは左行き操作スイッチの操作により移動棚が右または左に移動するように上記モータを正逆転させるモータ駆動回路と、を有してなり、
側板には窪みが設けられ、
上記窪みに上記右行き操作スイッチおよび左行き操作スイッチが設けられ、
上記右行き操作スイッチおよび左行き操作スイッチは、その操作面が斜め外側方を向くように、側板面に直交する垂直面に対し水平面内において回転した姿勢で取り付けられ、
各操作スイッチは全体が窪みの中にあることを特徴とする電動式移動棚。
【請求項２】
右行き操作スイッチおよび左行き操作スイッチは、その操作面が斜め外側方を向くように、側板面に直交する垂直面に対し水平面内において５度から７５度の範囲で回転した姿勢で取り付けられている請求項１記載の電動式移動棚。
【請求項３】
窪みは側板の左右に設けられ、左の窪みに右行き操作スイッチが、右の窪みに左行き操作スイッチが取り付けられている請求項１記載の電動式移動棚。
【請求項４】
側板の左右の窪みは、右行き操作スイッチまたは左行き操作スイッチを斜め上および斜め下からも操作することができるように、移動棚の奥側から間口面側に向かって解放した形をしている請求項３記載の電動式移動棚。
【請求項５】
側板の左右に設けられた窪みは、移動棚の間口面側において解放していて、右行き操作スイッチおよび左行き操作スイッチは、移動棚の間口面よりも後退している請求項４記載の電動式移動棚。
【請求項６】
右行き操作スイッチおよび左行き操作スイッチは、側板の下端から高さ１８００ｍｍまでの間に取り付けられている請求項１から５までのいずれかに記載の電動式移動棚。
【発明の詳細な説明】
【０００１】
【発明の属する技術分野】
本発明は、電動式移動棚に関するもので、特に、いわゆるパワーアシスト式移動棚に好適な操作部の構成に関するものである。
【０００２】
【従来の技術】
正逆回転可能なモータを駆動源として往復移動可能な電動式移動棚においては、側板に操作パネルが取り付けられ、操作パネルに各種操作スイッチが取り付けられているのが普通である。図９は、従来の電動式移動棚の概要を示す。図９において、複数の電動式移動棚２１がレールに沿って左右方向に移動可能に配置されている。物品を出し入れする間口面は図において各移動棚２１の左右の面にあり、間口面に対し直角方向に移動することができる。各移動棚２１は全てを集束させた状態にすることができるとともに、物品の出し入れ作業をするときは、出し入れ作業をしようとする移動棚２１の前面に作業通路としての空間を形成するように、任意の移動棚２１を移動させることができるようになっている。
【０００３】
図９は移動棚２１の側面を示している。移動棚２１の側面には側板が固定され、側板には操作スイッチが取り付けられている。図９において左端の移動棚２１には左右にそれぞれ操作スイッチ２２、２３が設けられており、その右側の２台の移動棚２１には右側にのみ操作スイッチ２３が設けられている。電動式移動棚の操作方式には各種あるが、図９に示す例では、左端の移動棚２１において左側の操作スイッチ２２を操作すると、移動棚２１の左側に作業通路が形成されるように移動棚が移動し、一つの移動棚２１において右側の操作スイッチ２３を操作すると、操作した移動棚２１の右側に作業通路が形成されるように移動棚が移動するようになっている。
【０００４】
操作スイッチが操作されたときに移動する移動棚は、操作スイッチが操作された移動棚に限られるものではなく、移行余裕のある移動棚が移行余裕のある方へ移動することにより、所定の移動棚の指定された間口面の前方に作業通路が形成される。こうして一旦作業通路が形成されると、インターロックがかかり、そのリセット操作をしない限り、移動させることができず、別の位置に作業通路を形成することはできない。
【０００５】
従来の電動式移動棚によれば、上記のように作業通路を形成すべき位置が指定されると、そのときの各移動棚２１の位置関係から、指定位置に対して移行余裕のある向きを判断し、移動させるべき移動棚およびその移動の向きを判断する必要があるため、制御回路の構成が複雑になるという難点があり、移動速度も遅いという難点があった。
【０００６】
そこで本出願人は、各移動棚に右行き操作スイッチおよび左行き操作スイッチを設けるとともに、右行きまたは左行き操作スイッチを操作している間はその移動棚が右または左に移動するようにモータを駆動し、操作スイッチの操作を解除するとモータが停止して移動棚が停止するようにした、いわゆるパワーアシスト式移動棚について提案した。特願２０００−５５１９８号にかかる発明はその一つである。このパワーアシスト式移動棚は、移動させるべき移動棚の選択およびその移動方向の選択を、操作する人間の判断によって決定するものであるため、回路構成がきわめて簡単になる利点がある。また、作業通路を形成しようとする位置の右側にある移動棚の右行き操作スイッチと左側にある左行き操作スイッチを同時に操作することにより、左右の移動棚を同時に左右に移動させることもできるため、迅速に作業通路を形成することができる利点もある。
【０００７】
ところで、従来一般の電動式移動棚にせよ、上記のようなパワーアシスト式移動棚にせよ、操作スイッチを側板に取り付けている。そのため、物品の出し入れ作業をしている者や、移動棚の傍を通る者などが、側板から突出したスイッチの操作部にうっかり触れることがあり、これによって不意に移動棚が移動し始めることがあり得る。従来一般の電動式移動棚では、前述のとおり、一旦作業通路が形成されると、インターロックがかかり、そのリセット操作をしない限り、移動させることができないようになっているから、不意に移動棚が移動し始めることはめったにない。
【０００８】
これに対して、パワーアシスト式移動棚の場合は、回路構成が簡単で、迅速な移動が可能であるという利点がある代わりに、インターロック回路がないため、うっかり操作スイッチに触れると、不意に移動棚が移動し始めることになる。
【０００９】
【発明が解決しようとする課題】
本発明は以上のような従来技術に鑑みてなされたもので、いわゆるパワーアシスト式移動棚において、操作スイッチ部分の構成を工夫することにより、操作スイッチに不用意に触れることのないようにして、移動棚が不意に移動し始めることを防止することができる電動式移動棚を提供することを目的とする。
【００１０】
【課題を解決するための手段】
請求項１記載の発明は、正逆回転可能なモータを駆動源として往復移動可能な電動式移動棚において、側板に設けられ右に向かって押すことができる右行き操作スイッチと、側板に設けられ左に向かって押すことができる左行き操作スイッチと、右行き操作スイッチまたは左行き操作スイッチの操作により移動棚が右または左に移動するように上記モータを正逆転させるモータ駆動回路と、を有してなり、側板には窪みが設けられ、上記窪みに上記右行き操作スイッチおよび左行き操作スイッチが設けられ、上記右行き操作スイッチおよび左行き操作スイッチは、その操作面が斜め外側方を向くように、側板面に直交する垂直面に対し水平面内において回転した姿勢で取り付けられ、各操作スイッチは全体が窪みの中にあることを特徴とする。
【００１１】
請求項２記載の発明は、請求項１記載の発明において、右行き操作スイッチおよび左行き操作スイッチは、その操作面が斜め外側方を向くように、側板面に直交する垂直面に対し水平面内において５度から７５度の範囲で回転した姿勢で取り付けられていることを特徴とする。
【００１２】
請求項３記載の発明は、請求項１記載の発明において、窪みは側板の左右に設けられ、左右の窪みにそれぞれ右行き操作スイッチ、左行き操作スイッチが取り付けられていることを特徴とする。
【００１３】
請求項４記載の発明は、請求項３記載の発明において、側板の左右の窪みは、右行き操作スイッチまたは左行き操作スイッチを斜め上および斜め下からも操作することができるように、移動棚の奥側から間口面側に向かって解放した形をしていることを特徴とする。
【００１４】
請求項５記載の発明は、請求項４記載の発明において、側板の左右に設けられた窪みは、移動棚の間口面側において解放していて、右行き操作スイッチおよび左行き操作スイッチは、移動棚の間口面よりも後退していることを特徴とする。
【００１５】
請求項６記載の発明は、請求項１から５までのいずれかに記載の発明において、右行き操作スイッチおよび左行き操作スイッチは、側板の下端から高さ１８００ｍｍまでの間に取り付けられていることを特徴としている。
【００１６】
【発明の実施の形態】
以下、図面を参照しながら本発明にかかる電動式移動棚の操作の実施形態について説明する。
図１において、符号１は電動式移動棚を示している。電動式移動棚１は底部に走行車輪８を有し、走行車輪８がレール７に沿って回転することにより、電動式移動棚１がレール７に沿って走行可能となっている。図１では、２台の電動式移動棚１がレール７上に載せられているが、電動式移動棚１の台数は任意である。
【００１７】
各電動式移動棚１は、図１において左右の面が物品を出し入れする間口面になっていて、間口面に直交する方向に移動可能となっている。各電動式移動棚１の側面には側板２が取り付けられている。図１では、側板２は上下方向の中間の一部を占める板として示されているが、移動棚１の側面全面を覆う一枚の板であってもよいし、側面の一部、例えば側面の下部を覆う板であってもよい。側板２の左右にはそれぞれ窪み３、５が設けられている。窪み３、５は、移動棚１の奥側から間口面側に向かって解放した三角形をしている。換言すれば、窪み３、５は、図１において移動棚１の左右方向中間部から左右方向端部に向かって開放した矢印の矢の形をしている。
【００１８】
各電動式移動棚１の図１において左側の窪み３には右行き操作スイッチ４が取り付けられ、右側の窪み５には左行き操作スイッチ６が取り付けられている。右行き操作スイッチ４と左行き操作スイッチ６はいずれも全体が窪み３、５の中にあり、側板２の外側面から突出している部分はない。
【００１９】
各電動式移動棚１は、駆動源として正逆転可能なモータを有していて、モータの正逆転によって図１において左右方向に往復移動することができる。モータは交流モータでもよいし、直流モータでもよい。しかし、特願２０００−５５１９８号の明細書に記載したように、ハイブリッド式移動棚の場合、その駆動モータとしては、起動時に最大トルクが得られるという利点をはじめとして、その他の利点がある直流モータが適している。右行き操作スイッチ４および左行き操作スイッチ６はモータ駆動回路に接続されている。右行き操作スイッチ４は上記モータ駆動回路の正転回路に接続されているものとすると、左行き操作スイッチ６は逆転回路に接続されている。
【００２０】
右行き操作スイッチ４を図１において右側に向かって押すと、右行き操作スイッチ４が押されている間は、モータが正転して移動棚１が右に向かって移動し、右行き操作スイッチ４の操作を停止するとモータが停止して移動棚１が停止するようにモータ駆動回路が構成されている。また、左行き操作スイッチ６を図１において左側に向かって押すと、左行き操作スイッチ６が押されている間は、モータが逆転して移動棚１が左に向かって移動し、左行き操作スイッチ６の操作を停止するとモータが停止して移動棚１が停止するようにモータ駆動回路が構成されている。
【００２１】
したがって、いま、操作者が任意の移動棚相互間に作業通路を形成しようとするときは、操作者の判断よって作業通路形成位置を選択し、形成しようとする作業通路位置にある少なくとも片方の移動棚１の右行き操作スイッチ４または左行き操作スイッチ６を押してその移動棚１を右または左に向かって移動させる。どの移動棚１をどの向きに移動させるかは、操作者の判断により移行余裕のある移動棚を選択し移行余裕のある方に移動させる。形成しようとする作業通路位置にある二つの移動棚それぞれに、左右に移行する余裕がある場合は、図５に示すように、左側の移動棚１の左行き操作スイッチ６と、右側の移動棚１の右行き操作スイッチ４とを同時に押すことにより、上記二つの移動棚をそれぞれ左と右に同時に移動させることができ、迅速な作業通路形成が可能となる。
【００２２】
駆動モータが、起動時において最大トルクを発生する直流モータの場合、モータから走行車輪８に至る動力伝達機構の減速比を小さくすることができるため、走行車輪８側から見た駆動モータまでの動力伝達機構の機械的な抵抗ないしは負荷は比較的小さくなる。したがって、一つの移動棚１によって別の一つまたは複数の移動棚を押し動かすこともできる。また、移動速度を早くすることができ、所望の位置に作業通路を迅速に形成することができる利点もある。
【００２３】
図２乃至図４は、以上説明したようないわゆるハイブリッド式移動棚における操作スイッチ部分のうち、右行き操作スイッチ４の部分の詳細を示している。図２乃至図４において、窪み３は前述のように矢印の矢の形をしているが、この矢印の矢の開き角度は、この例では９０度になっている。矢形の窪み３の中には前述のように右行き操作スイッチ４が取り付けられている。より具体的には、窪み３の中にはスイッチ取り付け部材９が固定され、スイッチ取り付け部材９に右行き操作スイッチ４が取り付けられている。
【００２４】
スイッチ取り付け部材９は、側板２の矢形の切除縁に沿うことによって隙間を塞ぐ部分とスイッチ取り付け部９１とを有してなる。スイッチ取り付け部９１は垂直方向の壁からなり、この垂直方向の壁はその外側面が移動棚の斜め外側方を向くように、側板２の面に直交する垂直面に対し水平面内において回転した姿勢で形成されている。このスイッチ取り付け部９１に、このスイッチ取り付け部９１を内外から挟み込んで右行き操作スイッチ４が取り付けられている。右行き操作スイッチ４の大半はスイッチ取り付け部材９の内方に隠れていて、操作ボタン４１のみが露出している。こうして、右行き操作スイッチ４全体が窪み３の中にある。
【００２５】
スイッチ取り付け部９１は上記のように側板２の面に直交する垂直面に対し水平面内において回転した姿勢で形成されていて、このスイッチ取り付け部９１に右行き操作スイッチ４が取り付けられているため、右行き操作スイッチ４の操作ボタン４１も、側板２の面に直交する垂直面に対し水平面内において回転した姿勢で移動棚の外側方を向くように取り付けられている。この回転角度θは、図示の例では１５度となっている。
【００２６】
上記窪み３は、移動棚１の間口面側において解放していて、右行き操作スイッチ４はもとより、その操作ボタン４１の操作面も、移動棚１の間口面よりも後退している。図２で、移動棚１の間口面からの操作ボタン４１の後退寸法Ｓを示している。
以上、図２乃至図４で移動棚１の左側に設けられた窪み３および右行き操作スイッチ４について説明したが、移動棚１の右側に設けられた窪み５および左行き操作スイッチ６についても、向きが反対になるだけで、同様に構成されている。
【００２７】
以上説明した実施形態によれば、右行き操作スイッチ４が押されている間は移動棚１が右に移動し、左行き操作スイッチ６が押されている間は移動棚１が左に移動するように駆動モータを正逆転させ、右行き操作スイッチ４または左行き操作スイッチ６の操作を停止することによりモータを停止させ移動棚１を停止させるようにした電動式移動棚において、側板２の左右には窪み３、５が設けられ、この窪み３、５にそれぞれ上記右行き操作スイッチ４および左行き操作スイッチ６が設けられるとともに各操作スイッチ４、６は全体が窪みの中にある。そのため、移動棚１の傍で作業をしている者、あるいは移動棚１の傍を通る者などが操作スイッチ４、６に不用意に触れることがなく、移動棚１が不意に移動し始めることを防止することができる。特に、インターロック回路がなく、上記のように右行きまたは左行き操作スイッチの操作によって直接的に移動棚が移動するようにした、いわゆるハイブリッド式移動棚においては、操作スイッチ４、６に不用意に触れることがないようにすることは、移動棚が不意に移動し始めることを防止する上で有効である。
【００２８】
上記実施の形態によれば、窪み３、５の中に右行き操作スイッチ４および左行き操作スイッチ６を設けるとともに、窪み３、５は移動棚１の奥側から間口面側に向かって解放した形をしているため、図２に矢印で示すように、真横から水平方向にスイッチ操作をすることができるし、斜め上から斜め下に向かって、あるいは斜め下から斜め上に向かってスイッチ操作することができる。したがって、例えば車椅子に座った状態で低い位置からでも容易に操作することができるし、高い位置からでも容易に操作することができる。
【００２９】
操作スイッチを取り付ける窪み３、５は矢印の矢の形をしていて、この矢形の窪み３、５は、その中に取り付けられている操作スイッチの操作による移動棚１の移動の向きを示している。したがって、窪み３、５の中の操作スイッチを操作することによる移動棚１の移動の向きを、窪み３、５の矢形の向きで視覚的に知ることができる。上記矢形の窪み３、５の開き角度は、この例では９０度になっているが、窪み３、５中の操作スイッチ４、６の操作性を損なわない範囲で任意の角度に設定してよい。
また、窪み３、５は矢印の矢形に限らず、部分円弧形、部分楕円弧形などであってもよい。
【００３０】
上記実施の形態によれば、右行きおよび左行き操作スイッチ４、６の操作面が、側板２の面に直交する垂直面に対し水平面内において１５度回転した姿勢で移動棚１の外側方を向くように取り付けられているため、移動棚１の外側方から操作しやすい角度になっているとともに、移動棚１の外側方から操作面を視認しやすくなっている。上記回転角度θは、図示の例では１５度となっているが、移動棚１の外側方から操作しやすい角度の範囲において任意に変更することができる。上記回転角度θは５度以上であれば操作性が向上する。ただし、７５度以上になると操作性がかえって悪くなるとともに、不用意に触られやすくなる。したがって、上記回転角度θは５度以上７５度以下にするとよい。
【００３１】
窪み３、５および操作スイッチ４、６の高さは、標準的には図１に示すように１０００ｍｍあるいはその前後とするのが望ましい。しかし、手に荷物を抱えたまま足で操作することができるような仕様の要求もあり、あるいは、フォークリフトなどの運転台に載ったまま高い位置から操作することができるような仕様の要求もあるので、各種要求に適合させた任意の高さ位置に設ければよい。したがって、右行き操作スイッチ４および左行き操作スイッチ６は、仕様に応じて側板の下端から高さ１８００ｍｍまでの間に取り付けられていればよい。
【００３２】
図２に寸法Ｓで示すように、側板２の左右に設けられた窪み３、５は、移動棚１の間口面側において解放していて、右行き操作スイッチ４、および左行き操作スイッチ６は、移動棚１の間口面よりも後退している。そのため、互いに隣り合う移動棚１が接触した状態で集束していても、上記後退寸法Ｓの範囲に生じている空間に指を挿入して操作スイッチ４または６を押すことができ、これによって移動棚を右または左に移動させることができる。あるいは、左側の移動棚の左行き操作スイッチ６と右側の移動棚の右行き操作スイッチ４とを同時に操作して、左右の移動棚を左右に同時に移動させることもできる。
【００３３】
次に、本発明の各種変形例について説明する。いずれも窪みとこの窪みに取り付けられる操作スイッチの変形例である。図６に示す例では、側板２の左側に設けられた前述の窪みと同様の窪み３内に、前述の右行き操作スイッチ４のほかに、上記窪み３の斜め上面にスイッチ４Ａが、窪み３の斜め下面にスイッチ４Ｂが取り付けられている。これらのスイッチは全体が窪み３の中にある。これらのスイッチ４、４Ａ、４Ｂを全て取り付ける必要はなく、少なくとも一つが取り付けられていればよい。この少なくとも一つのスイッチが例えば右行き操作スイッチを構成しているものとする。移動棚の右側においても同様に構成されているものとする。
【００３４】
右行き操作スイッチおよび左行き操作スイッチは必ずしも機械的な操作スイッチでなくてもよい。例えば、図７に示す例では、側板２に設けられた窪み３を上下から挟むように発光素子４２と受光素子４３を対向させて配置し、窪み３に手を挿入することにより、発光素子４２から受光素子４３に向かう光束が遮断されて受光素子４３の出力が転換し、これによって右行き操作信号が出力されるようにしてもよい。すなわち、発光素子４２と受光素子４３によって光電的な右行き操作スイッチを構成しているものということができる。なお、発光素子４２と受光素子４３は、側板２の裏側に取り付けられ、側板２の外側からは光束を遮断することができないようになっている。移動棚の右側においても同様に構成されているものとする。
【００３５】
操作スイッチを配置する窪みは、必ずしも移動棚の間口面側において解放している必要はない。図８（ａ）は、上側が解放した矢印の矢の形をした窪み３１を設け、窪み３１の斜め右縁にスイッチ４Ｃを、斜め左縁にスイッチ４Ｄを取り付けた例を示す。これらのスイッチ４Ｃ、４Ｄを全て取り付ける必要はなく、少なくとも一つが取り付けられていればよい。この少なくとも一つのスイッチが例えば右行き操作スイッチを構成しているものとする。あるいは、側板２の左右方向中央部に上記窪み３１とスイッチ４Ｃ、４Ｄを設け、スイッチ４Ｃを右行き操作スイッチとし、スイッチ４Ｄを左行き操作スイッチとしてもよい。
【００３６】
図８（ｂ）は、下側が解放した矢印の矢の形をした窪み３２を設け、窪み３２の斜め右縁にスイッチ４Ｅを、斜め左縁にスイッチ４Ｆを取り付けた例を示す。これらのスイッチ４Ｅ、４Ｆを全て取り付ける必要はなく、少なくとも一つが取り付けられていればよい。この少なくとも一つのスイッチが例えば右行き操作スイッチを構成しているものとする。あるいは、側板２の左右方向中央部に上記窪み３２とスイッチ４Ｅ、４Ｆを設け、スイッチ４Ｅを右行き操作スイッチとし、スイッチ４Ｆを左行き操作スイッチとしてもよい。
【００３７】
操作スイッチを取り付ける窪みは、移動棚の間口面側が閉じられていても、右行きまたは左行き操作スイッチの操作面を押すことができればよい。図８（ｃ）はその例を示すもので、側板２の左側に、正三角形上の窪み３３がその一つの頂点を右側に向けて設けられている。窪み３３内には、図６に示すスイッチと同様のスイッチ４、４Ａ、４Ｂが取り付けられている。これらのスイッチは全体が窪み３３の中にある。これらのスイッチ４、４Ａ、４Ｂを全て取り付ける必要はなく、少なくとも一つが取り付けられていればよい。この少なくとも一つのスイッチが例えば右行き操作スイッチを構成しているものとする。移動棚の右側においても同様に構成されているものとする。
【００３８】
以上説明した各種変形例のほか、特許請求の範囲に記載した技術思想を逸脱しない範囲で任意に設計変更可能である。
【００３９】
【発明の効果】
請求項１記載の発明によれば、右行き操作スイッチが押されている間は移動棚が右に移動し、左行き操作スイッチが押されている間は移動棚が左に移動するようにモータを正逆転させ、右行き操作スイッチまたは左行き操作スイッチの操作を停止することによりモータを停止させ移動棚を停止させるようにした電動式移動棚において、側板には窪みが設けられ、この窪みにそれぞれ右行き操作スイッチおよび左行き操作スイッチが設けられるとともに各操作スイッチは全体が窪みの中にある。そのため、操作スイッチに不用意に触れることを防止することができ、移動棚が不意に移動し始めることを防止することができる。特に、インターロック回路がなく、上記のように右行きまたは左行き操作スイッチの操作によって直接的に移動棚が移動するようにした、いわゆるハイブリッド式移動棚においては、操作スイッチに不用意に触れることがないようにして、移動棚が不意に移動し始めることを防止するのに有効である。
また、右行き操作スイッチおよび左行き操作スイッチは、その操作面が斜め外側方を向くように、側板面に直交する垂直面に対し水平面内において回転した姿勢で取り付けられているため、右行き操作スイッチおよび左行き操作スイッチが、移動棚の外側方から操作しやすく、また、移動棚の外側方から操作面を視認しやすくなっている。
【００４０】
請求項２記載の発明では、右行き操作スイッチおよび左行き操作スイッチは、その操作面が斜め外側方を向くように、側板面に直交する垂直面に対し水平面内において回転した姿勢で取り付けられており、この回転角度が５度から７５度の範囲に設定されているため、右行き操作スイッチおよび左行き操作スイッチが、移動棚の外側方から操作しやすく、また、移動棚の外側方から操作面を視認しやすくなっている。
【００４１】
請求項４記載の発明によれば、側板の左右の窪みは、移動棚の奥側から間口面側に向かって解放した形をしているため、右行き操作スイッチまたは左行き操作スイッチを斜め上および斜め下からも操作することができる利点がある。
【００４２】
請求項５記載の発明によれば、側板の左右に設けられた窪みは、移動棚の間口面側において解放していて、右行き操作スイッチおよび左行き操作スイッチは、移動棚の間口面よりも後退しているため、互いに隣り合う移動棚が接触した状態で集束していても、上記後退寸法Ｓの範囲に生じている空間に指を挿入して操作スイッチ押すことができ、これによって移動棚を右または左に移動させることができる。あるいは、左側の移動棚の左行き操作スイッチと右側の移動棚の右行き操作スイッチとを同時に操作して、左右の移動棚を左右に同時に移動させることもできる。
【００４３】
請求項６記載の発明によれば、右行き操作スイッチおよび左行き操作スイッチは、側板の下端から高さ１８００ｍｍまでの間に取り付けられているため、手に荷物を抱えたまま足で操作することができるようにすることができるし、あるいは、高い位置から操作することができるようにすることもできる。
【図面の簡単な説明】
【図１】本発明にかかる電動式移動棚の実施の形態を示す側面図である。
【図２】上記実施の形態中の操作部を拡大して示す側面図である。
【図３】図２中の線Ａ−Ａに沿う断面図である。
【図４】上記操作部の正面図である。
【図５】上記実施形態にかかる電動式移動棚の移動操作例を示す側面図である。
【図６】本発明に適用可能な窪みと操作スイッチの変形例を示す側面図である。
【図７】本発明に適用可能な窪みと操作スイッチのさらに別の変形例を示す側面図である。
【図８】本発明に適用可能な窪みと操作スイッチのさらに別の各種変形例を示す側面図である。
【図９】従来の電動式移動棚の移動操作例を示す側面図である。
【符号の説明】
１  電動式移動棚
２  側板
３  窪み
４  操作スイッチ
５  窪み
６  操作スイッチ
４１  操作面
【図１】
0003755735.tif 000002
【図２】
0003755735.tif 000003
【図３】
0003755735.tif 000004
【図４】
0003755735.tif 000005
【図５】
0003755735.tif 000006
【図６】
0003755735.tif 000007
【図７】
0003755735.tif 000008
【図８】
0003755735.tif 000009
【図９】
0003755735.tif 000010